(57)【要約】      （修正有）【課題】細菌が多く含まれ、着色した汚い汚染水を簡単に浄化して美味しいミネラル飲料水とすることができる浄水機を提供する。【解決手段】太陽光発電による電気を電源として駆動する水中ポンプと、該水中ポンプで汲み上げた水を浄化する浄水機とからなり、該浄水機は、ナノテクビーム発生金属体を含む室１４と、活性炭を含む室１２と、ミネラル水生成風化花崗岩を含む室１３とを具備し、上部には水中ポンプからの汚染水の流入口が形成されている構成としたことにより、河川水等の汚染水を浄化してミネラル水を生成する。【選択図】図２
0003185888.tif 000002
【実用新案登録請求の範囲】
【請求項１】
太陽光発電による電気を電源として駆動する水中ポンプと、該水中ポンプで汲み上げた水を浄化する浄水機とからなり、該浄水機は、ナノテクビーム発生金属体を含む室と、活性炭を含む室と、ミネラル水生成風化花崗岩を含む室とを具備し、上部には水中ポンプからの汚染水の流入口が形成されていることを特徴とする浄水機。
【請求項２】
前記ナノテクビーム発生金属体は、金属に三角形を刻設し、その内面又は外面に三角形を３個以上刻設したものである請求項１記載の浄水装置。
【請求項３】
前記ナノテクビーム発生金属体は、金属体に三角形を刻設し、該三角形の頂点から底辺を貫いて直線を刻設し、該直線にＶ字をＶ字の下端が直線に乗るように複数形成したものである請求項１又は２記載の浄水装置。
【請求項４】
前記金属は、チタン又はステンレスである請求項１〜３のいずれかに記載の浄水装置。
【請求項５】
前記ミネラル水生成風化花崗岩は、粒度小から大となるように複数の層を通過するように構成する請求項１〜４のいずれかに記載の浄水装置。
【考案の詳細な説明】
【技術分野】
【０００１】
この考案は、太陽光発電を電源とし、池の水等を水中ポンプで汲み上げ、この原水から細菌、有機物、無機物等の汚染物を除去する浄水機に係り、詳記すれば、池の水等をナノテクビームイオンにより殺菌、除臭し、且つ美味しい飲料水とすることができる浄水機に関する。
【背景技術】
【０００２】
世界各地では、地球温暖化による気候変動、森林の乱開発、災害及び干ばつなどの影響による水不足が深刻化している。
【０００３】
国連の統計によると、不衛生な水が原因で毎年1800万人の子供達が死亡し、2025年までには、30億人の人が水不足に直面する恐れがあると言われている。
【０００４】
従って、世界各地では、安全な飲料水をどう確保するかが大きな課題となっている。
【０００５】
更に、日本の水道水源地で使用されている毒「塩素・カルキ」の上限「０．１ｐｐｍ」の水道法のため、近年、チャバツ・アトピー・ガン等が多発し、事件・事故も歯止めがきかないのが現実である。
【０００６】
日本の水道水を浄化する浄水装置は、すでに多数市販されている。しかしながら、東南アジアのように細菌が多く含まれ、着色した汚い汚染水を簡単に浄化して美味しい飲料水とする装置は、未だ知られていない。
【０００７】
今、美味しい・安全な水を使用するのは人類の夢となった。商品としての浄水器の使命は、最小限安全な水を作ることであるが、更に「美味しい」水を作る浄水器は夢の浄水器と言える。美味しい水とは、蒸留水ではなく、石清水のような水である。汚れを浄化することのほかに、適度なミネラル等を含んだ水でなければならない。
【考案の開示】
【考案が解決しようとする課題】
【０００８】
この考案は、このような点に着目してなされたものであり、細菌が多く含まれ、着色した汚い汚染水を簡単に浄化して美味しいミネラル飲料水とすることができる浄水機を提供することを目的とする。
【０００９】
上記目的に沿う本考案の構成は、太陽光発電による電気を電源として駆動する水中ポンプと、該水中ポンプで汲み上げた水を浄化する浄水機とからなり、該浄水機は、ナノテクビーム発生金属体を含む室と、活性炭を含む室と、ミネラル水生成風化花崗岩を含む室とを具備し、上部には水中ポンプからの汚染水の流入口が形成されていることを特徴とする。
【００１０】
ナノテクビーム発生金属体としては、金属好ましくは、チタンに三角形を刻設し、その内面又は外面に三角形を３個以上刻設したものを使用することができる（請求項２）。
【００１１】
ナノテクビーム発生金属体としては、金属体に三角形を刻設し、該三角形の頂点から底辺を貫いて直線を刻設し、該直線にＶ字をＶ字の下端が直線に乗るように複数形成したものが好ましい（請求項３）。
【００１２】
前記金属は、チタン又はステンレスであるのが好ましい（請求項４）。
ミネラル水生成風化花崗岩は、粒度小から大となるように複数の層を通過するように構成するのが好ましい（請求項５）。
【考案の効果】
【００１３】
本考案によれば、細菌を多量に含有し着色した汚い汚染水がナノテクビームイオンに触れることにより、殺菌され、除臭され、飲料に適した美味しい水とすることができる。本考案の浄水機は、ミネラル水生成風化花崗岩を含んでいるので、ミネラル水を生成する。本考案の浄水機は、地震等の災害地において水道設備が機能しないとき、雨水・川の水・地下水等を浄化して飲料水とする浄水機として適している。
【図面の簡単な説明】
【００１４】
【図１】本考案の一実施例を示す概略斜視図である。
【図２】本考案の浄水機の一実施例を示す断面図である。
【図３】本考案のナノテクビームイオン発生金属板を示す斜視図である。
【図４】本考案に使用するスクリーンの一例を示す斜視図である。
【符号の説明】
【００１５】
１                太陽光発電機
２                水中ポンプ
３                池
４                浄水機
５                ホース
６                コック
７                浄水機ハウジング
８                通水口
９                吐出口
１０              自在パイプ
１１（１１ａ、１１ｂ、１１ｃ）スクリーン
１２              活性炭層
１３              風化した花崗岩層
１４              ナノテクビームイオン発生金属体
１５              スクリーン上の空間
１６              スクリーン下の空間
【考案を実施するための最良の形態】
【００１６】
以下、本考案の好ましい実施の形態を、添付図面に基づいて詳細に説明する。
【００１７】
本考案に使用する原水としては、河川水、井戸水、地下水、プール水、汽水等のあらゆる汚染水が挙げられる。
【００１８】
図１に示すように、太陽光発電機１による電気を電源として駆動する水中ポンプ２と、該水中ポンプ２で池３等から汲み上げた水を浄化する浄水機４とからなる。水中ポンプ２と浄水機４とを連結するホース５には、コック６が連結され、このコック６をひねることにより、水は浄水機に流入するようになっている。
図２に示すように、断面円形の浄水器ハウジング（タンク）７には、上端に通水口８、下端側部に吐出口９が形成され、吐出口９には、自在パイプ１０が連結されている。内部にはスクリーン１１ｂを介して、上部に活性炭層１２が、下部に風化した粒状花崗岩層１３が、設けられている。尚、通水口８には、ホース５が連結するようになっている。
【００１９】
ナノテクビーム発生金属体１４は、スクリーン１１ａの上の空間１５又は／及びスクリーン１１ｃの下の空間１６に入れておけばよい。この実施例では、スクリーン１１ａの上の空間１５に入れている。両方に入れても勿論良い。
活性炭層１２は、第２スクリーン１１ｂと第１スクリーン１１ａとで挟持され、風化した花崗岩層１３は、第２スクリーン１１ｂと第３スクリーン１１ｃとで挟持されている。
【００２０】
図２に示すように、被処理水は、通水口８からナノテクビームイオン発生金属体１４を入れたスクリーン１１ａの上の空間１５に流入する。これによって、被処理水は、殺菌、除臭され、水分子を小さくして美味しい水に変化する。
【００２１】
ナノテクビームイオン発生金属体１４を通過した水は、活性炭層１２に流入する。被処理水が着色していても活性炭層１２を通過することにより、水は無色透明となる。活性炭としては、粒状活性炭を使用している。
【００２２】
活性炭槽１２の上端から水は風化花崗岩の層１３に流入する。風化花崗岩の層１３は、砂層、小さい石の槽、大きい石の槽の順に通過する。図１に示すコック５をひねることにより、被処理水は、ナノテクビームイオン発生金属体１４を入れた室１２、活性炭層１２、風化花崗岩の層１３（砂層、小さい石の槽及び大きい石の槽）の順に通過し、自在パイプ１０から浄化したミネラル飲料水として取り出すことができる。
【００２３】
ナノテクビーム発生金属体は、図３に示す如く、チタンのような金属板１７に、三角形１８を刻設し、三角形１８の頂点から底辺を貫いて直線１９を刻設し、該直線にＶ字２０をＶ字の下端が直線１９に乗るように４個形成されている。このように形成することにより、殺菌、消臭作用を有するナノテクビームが発生する。このナノテクビームにより、水が小さい分子に変化し、味が美味しくなる。
【００２４】
Ｖ字２０の個数は、特に限定されないが２個以上であるのが好ましい。三角形１８の内面に更に三角形を１個若しくは２個刻設するのが好ましい。三角形１８の内面又は外面に３個以上の三角形を刻設しただけでもナノテクビームが発生する。
【００２５】
図３に示す模様は、金属板に形成したが、金属棒に形成しても良く、金属体の種類は特に限定されない。また、金属としては、チタン、ステンレスが好適に使用できる。
スクリーン１１（第１スクリーン〜第３スクリーン１１ａ〜１１ｃ）は、図４に示すように、ステンレスで短円筒状に形成した底部に網２１を形成している。尚、円筒状に形成された熱可塑性樹脂（例えば塩ビ）に、ステンレスの網をヒートシールで溶着固定しても差し支えない。
【００２６】
スクリーンは、５０〜２００メッシュの網目であるのが好ましく、活性炭及び風化した粒状花崗岩は、この網目を通過しないようにする必要がある。
【００２７】
本考案に使用するラジウムを含む風化した花崗岩としては、海底火山で生成されたものが、太平洋プレートで陸地化してから６０００万年以上経過したものを使用することができる。この風化した花崗岩は、石英、長石、雲母が大豆粒以下に壊れているので、スコップで採取することができる。採取してから篩にかけ、下から大きい石、小さい石、砂状の石となるように充填する。この風化した花崗岩の分析結果を次表１に示す。尚、この風化した花崗岩は、遠赤外線を発生することが実験により確認されている。更にこの風化した花崗岩には、水の分子集団（クラスター）を小さくする作用があるので、人間の細胞に吸収され易い、極めてのど越しの良い美味しい水となる。
【００２８】
【表１】
0003185888.tif 000003
上記分析結果から明らかなように、本考案の風化した花崗岩には、ラドンが微量に含有されている。
【産業上の利用可能性】
【００２９】
本考案は、極めて簡単な装置により、大量の細菌を含み且つ着色している汚染水を殺菌、除菌、脱色して美味しい飲料水とすることができ、しかも風化花崗岩により生物に必須なミネラルを含んだ水にできるので、飲料水不足に悩む東南アジアなどでのその利用が期待される。
【図１】
0003185888.tif 000004
【図２】
0003185888.tif 000005
【図３】
0003185888.tif 000006
【図４】
0003185888.tif 000007
【手続補正書】
【提出日】平成25年7月10日(2013.7.10)
【手続補正１】
【補正対象書類名】明細書
【補正対象項目名】０００５
【補正方法】変更
【補正の内容】
【０００５】
更に、日本の水道水源地で使用されている毒「塩素・カルキ」の上限「０．１ｐｐｍ以上」の水道法のため、近年、チャバツ・アトピー・ガン等が多発し、事件・事故も歯止めがきかないのが現実である。
【手続補正２】
【補正対象書類名】明細書
【補正対象項目名】０００７
【補正方法】変更
【補正の内容】
【０００７】
今、美味しい・安全な水を使用するのは人類の夢となった。商品としての浄水器の使命は、最小限安全な水を作ることであるが、更に「美味しい」水を作る浄水器は夢の浄水器と言える。美味しい水とは、蒸留水ではなく、岩清水のような水である。汚れを浄化することのほかに、適度なミネラル等を含んだ水でなければならない。
【手続補正３】
【補正対象書類名】図面
【補正対象項目名】図２
【補正方法】変更
【補正の内容】
【図２】
0003185888.tif 000008